(57)【要約】【課題】  再生中に映像音声データの表示画面のＯＳＤ言語を変更することにより、再生中の映像音声データのジャンルのＯＳＤ言語の初期設定値を変更されたＯＳＤ言語に設定又は変更することができるようにする。【解決手段】  画面に表示するＯＳＤ言語の初期設定値を設定して、設定されたＯＳＤ言語の初期設定値を記憶し、再生中の映像音声データの表示画面のＯＳＤ言語が切り替えられたとき、記憶されている再生中の映像音声データのジャンルのＯＳＤ言語の初期設定値の設定の有無を判別して、その判別結果に応じて再生中の映像音声データのジャンルのＯＳＤ言語の初期設定値を設定又は変更するようにする。【選択図】        図３
2007104448.tif 000002
【特許請求の範囲】
【請求項１】
光ディスクに記録されている映像音声データを再生するディスク再生装置であって、
画面に表示するＯＳＤ言語の初期設定値を設定する言語設定手段と、前記言語設定手段により設定されたＯＳＤ言語の初期設定値を記憶する不揮発性メモリと、再生中の映像音声データの表示画面のＯＳＤ言語を切り替える言語切替手段と、前記言語切替手段により再生中の映像音声データの表示画面のＯＳＤ言語が切り替えられたとき、前記不揮発性メモリに記憶されている再生中の映像音声データのジャンルのＯＳＤ言語の初期設定値の設定の有無を判別する判別手段と、前記判別手段により再生中の映像音声データのジャンルのＯＳＤ言語の初期設定値が設定されていないと判別された場合、再生中の映像音声データのジャンルのＯＳＤ言語の初期設定値を設定し、前記判別手段により再生中の映像音声データのＯＳＤ言語の初期設定値が設定されていると判別された場合、再生中の映像音声データのジャンルのＯＳＤ言語の初期設定値を変更する言語設定／変更手段とを備えたことを特徴とするディスク再生装置。
【請求項２】
光ディスクに記録されている映像音声データを再生するディスク再生装置であって、
画面に表示するＯＳＤ言語の初期設定値を設定する言語設定手段と、前記言語設定手段により設定されたＯＳＤ言語の初期設定値を記憶する記憶手段と、再生中の映像音声データの表示画面のＯＳＤ言語を切り替える言語切替手段と、前記言語切替手段により再生中の映像音声データの表示画面のＯＳＤ言語が切り替えられたとき、前記記憶手段に記憶されている再生中の映像音声データのジャンルのＯＳＤ言語の初期設定値の設定の有無を判別する判別手段と、前記判別手段の判別結果に応じて再生中の映像音声データのジャンルのＯＳＤ言語の初期設定値を設定又は変更する言語設定／変更手段とを備えたことを特徴とするディスク再生装置。
【請求項３】
前記言語設定／変更手段は、前記判別手段により再生中の映像音声データのジャンルのＯＳＤ言語の初期設定値が設定されていないと判別された場合、再生中の映像音声データのジャンルのＯＳＤ言語の初期設定値を設定する言語設定／変更手段であることを特徴とする請求項２記載のディスク再生装置。
【請求項４】
前記言語設定／変更手段は、前記判別手段により再生中の映像音声データのＯＳＤ言語の初期設定値が設定されていると判別された場合、再生中の映像音声データのジャンルのＯＳＤ言語の初期設定値を変更する言語設定／変更手段であることを特徴とする請求項２記載のディスク再生装置。
【請求項５】
前記記憶手段は、不揮発性メモリであることを特徴とする請求項２記載のディスク再生装置。
【発明の詳細な説明】
【技術分野】
【０００１】
本発明は、光ディスクに記録されている映像音声データを再生するディスク再生装置に係り、特に映像音声データの表示画面に表示される字幕言語等を容易に設定又は変更することができるディスク再生装置に関する。
【背景技術】
【０００２】
従来、ＤＶＤ（Ｄｉｇｉｔａｌ  Ｖｅｒｓａｔｉｌｅ  Ｄｉｓｃ）等の光ディスクを再生するディスク再生装置は、メニュ画面の初期設定の言語設定においてＯＳＤ（Ｏｎ−Ｓｃｒｅｅｎ  Ｃｈａｒａｃｔｅｒ  Ｄｉｓｐｌａｙ）言語の初期設定値を設定することにより、光ディスクの再生中の映像音声データの表示画面のＯＳＤ言語を設定されたＯＳＤ言語で表示することができるようになっている。しかし、ユーザが視聴中の映像音声データの表示画面のＯＳＤ言語を変更したい場合、リモコン装置の操作キーを操作してメニュ画面を表示し、そのメニュ画面の言語設定を選択して、画面に表示された言語設定のＯＳＤ言語の初期設定値を変更しなければならないという問題点があった。また、光ディスクに記録されている映像音声データを再生して視聴する際に、映像音声データのシネマ、ミュージカル、オペラ等のジャンル毎の表示画面に表示されるＯＳＤ言語を個々に設定することができないため、光ディスクに記録された映像音声データの視聴中に、その都度、リモコン装置の操作キーを操作してメニュ画面の言語設定のＯＳＤ言語の初期設定値を変更しなければならないという問題点があった。
背景技術としては、ＯＳＤ言語が変更された場合に、音声言語設定、字幕言語設定、メニュ言語設定の他のＯＳＤ言語の初期設定に反映させるようにしたものがあった（例えば、特許文献１参照）。
また、ＯＳＤ言語が初期設定値以外の言語に変更されたときに、音声言語及び字幕言語の中で初期設定されているものを変更されたＯＳＤ言語と同じ言語に設定変更するようにしたものがあった（例えば、特許文献２参照）。
また、音声情報、字幕情報、メニュ情報のいずれかの選択された言語の種類にしたがって音声情報、字幕情報、メニュ情報の各々の再生の要否を判別し、再生する場合の言語の種類を判別して再生を行うようにしたものがあった（例えば、特許文献３参照）。
【特許文献１】特開２００５−１８２９５９号公報
【特許文献２】特開２００４−２３６４６号公報
【特許文献３】特開２００３−４６９５１号公報
【発明の開示】
【発明が解決しようとする課題】
【０００３】
しかしながら、背景技術で述べたもののうち最初のものにおいては、ＯＳＤ言語が変更された場合に、音声言語設定、字幕言語設定、メニュ言語設定の他のＯＳＤ言語の初期設定に反映させることができたが、ＯＳＤ言語の設定が変更されたとき、変更されたＯＳＤ言語を他のＯＳＤ言語の設定に反映させるようにしたものであって、上記問題点を解決するようにしたものではなかった。
また、次のものにおいては、ＯＳＤ言語が初期設定値以外の言語に変更されたときに、音声言語及び字幕言語の中で初期設定されているものを変更されたＯＳＤ言語と同じ言語に設定変更することができたが、ＯＳＤ言語が変更されたとき、初期設定値が設定されている音声言語、字幕言語の設定を変更されたＯＳＤ言語と同じ言語に設定変更するようにしたものであって、上記問題点を解決するようにしたものではなかった。
また、更にその次のものにおいては、音声情報、字幕情報、メニュ情報のいずれかの選択された言語の種類にしたがって音声情報、字幕情報、メニュ情報の各々の再生の要否を判別し、再生する場合の言語の種類を判別して再生を行うことができたが、字幕を表示しないモードと、字幕言語を再生してオリジナル音声を再生するモードと、音声情報、字幕情報、メニュの言語のそれぞれを設定するモードとのいずれかのモードの選択後に、言語を選択することにより設定された内容にしたがって光ディスクの再生を行うようにしたものであって、上記問題点を解決するようにしたものではなかった。
本発明は、背景技術の有するこのような問題点に鑑みてなされたものであり、その目的とするところは、再生中に映像音声データの表示画面のＯＳＤ言語を変更することにより、再生中の映像音声データのジャンルのＯＳＤ言語の初期設定値を変更されたＯＳＤ言語に設定又は変更することができるディスク再生装置を提供しようとするものである。
【課題を解決するための手段】
【０００４】
上記目的を達成するため本発明においては、光ディスクに記録されている映像音声データを再生するディスク再生装置であって、画面に表示するＯＳＤ言語の初期設定値を設定する言語設定手段と、前記言語設定手段により設定されたＯＳＤ言語の初期設定値を記憶する記憶手段と、再生中の映像音声データの表示画面のＯＳＤ言語を切り替える言語切替手段と、前記言語切替手段により再生中の映像音声データの表示画面のＯＳＤ言語が切り替えられたとき、前記記憶手段に記憶されている再生中の映像音声データのジャンルのＯＳＤ言語の初期設定値の設定の有無を判別する判別手段と、前記判別手段の判別結果に応じて再生中の映像音声データのジャンルのＯＳＤ言語の初期設定値を設定又は変更する言語設定／変更手段とを備える。
前記言語設定／変更手段は、前記判別手段により再生中の映像音声データのジャンルのＯＳＤ言語の初期設定値が設定されていないと判別された場合、再生中の映像音声データのジャンルのＯＳＤ言語の初期設定値を設定するようにするとよい。
また、前記言語設定／変更手段は、前記判別手段により再生中の映像音声データのＯＳＤ言語の初期設定値が設定されていると判別された場合、再生中の映像音声データのジャンルのＯＳＤ言語の初期設定値を変更するようにするとよい。
前記記憶手段は、不揮発性メモリであるとよい。
これらの手段により、再生中に映像音声データの表示画面のＯＳＤ言語を変更することにより、再生中の映像音声データのジャンルのＯＳＤ言語の初期設定値を変更されたＯＳＤ言語に設定又は変更することができる。
【発明の効果】
【０００５】
請求項１記載の発明に係るディスク再生装置によれば、画面に表示するＯＳＤ言語の初期設定値を設定して、設定されたＯＳＤ言語の初期設定値を不揮発性メモリに記憶し、再生中の映像音声データの表示画面のＯＳＤ言語が切り替えられたとき、不揮発性メモリに記憶されている再生中の映像音声データのジャンルのＯＳＤ言語の初期設定値の設定の有無を判別して、再生中の映像音声データのジャンルのＯＳＤ言語の初期設定値が設定されていない場合、再生中の映像音声データのジャンルのＯＳＤ言語の初期設定値を設定し、再生中の映像音声データのＯＳＤ言語の初期設定値が設定されている場合、再生中の映像音声データのジャンルのＯＳＤ言語の初期設定値を変更するようにしているので、メニュ画面のＯＳＤ言語の初期設定を選択してＯＳＤ言語の初期設定値を設定又は変更しなくても、再生中の映像音声データの表示画面のＯＳＤ言語を変更することにより、再生中の映像音声データのジャンルのＯＳＤ言語の初期設定値が設定されていない場合、再生中の映像音声データのジャンルのＯＳＤ言語の初期設定値を設定することができ、再生中の映像音声データのジャンルのＯＳＤ言語の初期設定値が設定されている場合、再生中の映像音声データのジャンルのＯＳＤ言語の初期設定値を変更することができる。
請求項２記載の発明に係るディスク再生装置によれば、画面に表示するＯＳＤ言語の初期設定値を設定して、設定されたＯＳＤ言語の初期設定値を記憶し、再生中の映像音声データの表示画面のＯＳＤ言語が切り替えられたとき、記憶されている再生中の映像音声データのジャンルのＯＳＤ言語の初期設定値の設定の有無を判別して、その判別結果に応じて再生中の映像音声データのジャンルのＯＳＤ言語の初期設定値を設定又は変更するようにしているので、ユーザが視聴中の映像音声データのＯＳＤ言語を変更することにより、メニュ画面のＯＳＤ言語の初期設定を選択してＯＳＤ言語の初期設定値を設定又は変更しなくても、再生中の映像音声データのジャンルのＯＳＤ言語の初期設定値の設定の有無に応じて再生中の映像音声データのジャンルのＯＳＤ言語の初期設定値を設定又は変更することができる。
請求項３記載の発明に係るディスク再生装置によれば、再生中の映像音声データのジャンルのＯＳＤ言語の初期設定値が設定されていない場合、再生中の映像音声データのジャンルのＯＳＤ言語の初期設定値を設定するようにしているので、ユーザが視聴中の映像音声データのＯＳＤ言語を変更することにより、メニュ画面のＯＳＤ言語の初期設定を選択してＯＳＤ言語の初期設定値を設定しなくても、再生中の映像音声データのジャンルのＯＳＤ言語の初期設定値を設定することができる。
請求項４記載の発明に係るディスク再生装置によれば、再生中の映像音声データのＯＳＤ言語の初期設定値が設定されている場合、再生中の映像音声データのジャンルのＯＳＤ言語の初期設定値を変更するようにしているので、ユーザが視聴中の映像音声データのＯＳＤ言語を変更することにより、メニュ画面のＯＳＤ言語の初期設定を選択してＯＳＤ言語の初期設定値を変更しなくても、再生中の映像音声データのジャンルのＯＳＤ言語の初期設定値を変更することができる。
請求項５記載の発明に係るディスク再生装置によれば、ＯＳＤ言語の初期設定値を不揮発性メモリに記憶するようにしているので、ディスク装置の電源がＯＦＦになっても、不揮発性メモリの記憶内容を保持することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置のＯＳＤ言語の初期設定値を示す説明図であり、図４は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、文字情報データを映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路９と、ディスク再生装置１のシステム全体を制御するマイコン１０と、ディスク再生装置１のＯＳＤ言語の初期設定値等の各種データを記憶する不揮発性メモリのフラッシュＲＯＭ１１と、リモコン装置２０から送信された赤外線信号のリモコン信号を受信して、所定の電気信号に変換するリモコン受信部１２とで構成されている。
また、リモコン装置２０には、図２に示すように、ディスク再生装置１の初期設定値を設定するメニュ画面の表示を指令するメニュキー２０ａ、メニュ画面に表示された選択項目を選択するカーソルキー２０ｂ、カーソルキー２０ｂにより選択された選択項目の選択を決定する決定キー２０ｃ、光ディスク２に記録されている映像音声データの再生を指令する再生キー２０ｄ、再生中の映像音声データの表示画面のＯＳＤ言語を切り替えを指令する言語切替キー２０ｅ等の複数の操作キーが設けられていて、それらの操作キーを操作することによりディスク再生装置１を所望動作させることができるようになっている。
以上のように構成されたディスク再生装置について、以下その動作について説明する。
リモコン装置２０の再生キー２０ｄの操作により光ディスク２の再生が指令されると、マイコン１０は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３のトラッキングとフォーカスとをサーボ制御して、光ピックアップ３により光ディスク２に記録されている映像音声データを読み出して再生する。
光ディスク２に記録されている映像音声データの再生中に、リモコン装置２０の言語切替キー２０ｅの操作により再生中の映像音声データのＯＳＤ言語の切り替えが指令された場合、マイコン１０は、ＯＳＤ回路９に制御信号を送出して、再生中の映像音声データの表示画面のＯＳＤ言語を切り替える。そして、再生中の映像音声データの表示画面のＯＳＤ言語が切り替えられると、マイコン１０は、再生中の映像音声データのジャンルのＯＳＤ言語の初期設定値がフラッシュＲＯＭ１１に記憶されているか否かを判別して、再生中の映像音声データのジャンル、例えば、シネマのＯＳＤ言語の初期設定値がフラッシュＲＯＭ１１に記憶されていない場合（図３（ａ）参照）、再生中の映像音声データのジャンル、例えば、シネマのＯＳＤ言語の初期設定値を映像音声データの再生中に切り替えられたＯＳＤ言語、例えば、英語に設定してフラッシュＲＯＭ１１に記憶する（図３（ｂ）参照）。これにより、ユーザが視聴中の映像音声データの表示画面のＯＳＤ言語を変更することにより、メニュ画面のＯＳＤ言語の設定を選択して初期設定を変更しなくても、再生中の映像音声データのジャンルのＯＳＤ言語の初期設定値を設定することができる。
また、再生中の映像音声データのジャンルのＯＳＤ言語の初期設定値、例えば、シネマのＯＳＤ言語の初期設定値の英語がフラッシュＲＯＭ１１に記憶されている場合（図３（ｂ）参照）、マイコン１０は、フラッシュＲＯＭ１１に記憶されている再生中の映像音声データのジャンルのＯＳＤ言語の初期設定値を映像音声データの再生中に切り替えられたＯＳＤ言語、例えば、フランス語に変更する（図３（ｃ）参照）ユーザが視聴中の映像音声データの表示画面のＯＳＤ言語を変更することにより、メニュ画面のＯＳＤ言語の設定を選択して初期設定を変更しなくても、再生中の映像音声データのジャンルのＯＳＤ言語の初期設定値を変更することができる。
また、図４の本発明の一実施例のディスク再生装置の動作を示すフローチャートを基に説明する。
リモコン装置の再生キーの操作により光ディスクの再生が指令されると、ステップＳ１からステップＳ２に進み、ステップＳ２で、光ディスクに記録されている映像音声データが再生され、ステップＳ３に進む。
ステップＳ３で、リモコン装置の言語切替キーの操作により再生中の映像音声データのＯＳＤ言語の切り替えが指令されたか否かが判断され、再生中の映像音声データのＯＳＤ言語の切り替えが指令された場合、ステップＳ４に進み、再生中の映像音声データのＯＳＤ言語の切り替えが指令されていない場合、ステップＳ８に進む。
ステップＳ４で、再生中の映像音声データの表示画面のＯＳＤ言語が切り替えられて、ステップＳ５に進む。
ステップＳ５で、再生中の映像音声データのジャンルのＯＳＤ言語の初期設定値が設定されてフラッシュＲＯＭに記憶されているか否かが判断され、再生中の映像音声データのジャンルのＯＳＤ言語の初期設定値がフラッシュＲＯＭに記憶されていない場合、ステップＳ６に進み、再生中の映像音声データのジャンルのＯＳＤ言語の初期設定値がフラッシュＲＯＭに記憶されている場合、ステップＳ７に進む。
ステップＳ６で、再生中の映像音声データのジャンルのＯＳＤ言語の初期設定値が設定されてフラッシュＲＯＭに記憶され、ステップＳ８に進む。
ステップＳ７で、フラッシュＲＯＭに記憶されている再生中の映像音声データのジャンルのＯＳＤ言語の初期設定値が変更され、ステップＳ８に進む。
ステップＳ８で、光ディスクの再生が終了したか否かが判断され、光ディスクの再生が終了した場合、ステップＳ９に進んで処理を終了し、光ディスクの再生が終了していない場合、ステップＳ２に戻って、ステップＳ２からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置のＯＳＤ言語の初期設定値を示す説明図である。
【図４】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  マイコン
１１  フラッシュＲＯＭ
１２  リモコン受信部
２０  リモコン装置
２０ａ  メニュキー
２０ｂ  カーソルキー
２０ｃ  決定キー
２０ｄ  再生キー
２０ｅ  言語切替キー
３０  モニタ装置
【図１】
2007104448.tif 000003
【図２】
2007104448.tif 000004
【図３】
2007104448.tif 000005
【図４】
2007104448.tif 000006